(57)【特許請求の範囲】
【請求項１】
高粘度の対象流動体の充填吸引機であって、
前記対象流動体を入れるシリンダーと、
該シリンダーの先端に取り付けられたノズルと、
該シリンダー内を長手方向に行き来する、弾性材料で作製されており、外周面が前記シリンダー内面に密接に接触しているピストンと、
該ピストンを駆動する、前記シリンダーの長手方向に延びて該シリンダーの反ノズル端である後端から外へ突出するピストンロッドと、
該ピストンロッドを先端方向又は後端方向に送る二組のラチェット式送り機構と、
を備え、
該送り機構が、
前記シリンダーに固定された、前記ピストンロッドをスライド案内する、握り手を有するフレームと、
該握り手付きフレームに対して回動して前記ピストンロッドを前後いずれかの方向へ送る、前記握り手の前後に配置された二組の引き金と、
を有し、
前記引き金の一方を前記握り手に寄る方向に回動させることにより、前記ピストンロッドを前進させて前記流動体を前記シリンダー内部から吐出することができるとともに、
前記引き金の他方を前記握り手に寄る方向に回動させることにより、前記ピストンロッドを後退させて前記流動体を前記シリンダー内部へ吸引することができることを特徴とする充填吸引機。
【請求項２】
高粘度の対象流動体の充填吸引機であって、
前記対象流動体を入れるシリンダーと、
該シリンダーの先端に取り付けられたノズルと、
該シリンダー内を長手方向に行き来する、弾性材料で作製されており、外周面が前記シリンダー内面に密接に接触しているピストンと、
該ピストンを駆動する、前記シリンダーの長手方向に延びて該シリンダーの反ノズル端である後端から外へ突出するピストンロッドと、
該ピストンロッドを先端方向又は後端方向に送る二組のラチェット式送り機構と、
を備え、
該送り機構が、
前記シリンダーに固定された、前記ピストンロッドをスライド案内する、二個の握り手を有するフレームと、
該握り手付きフレームに対して回動して前記ピストンロッドを前後いずれかの方向へ送る、前記握り手の中央に配置された引き金と、
を有し、
前記引き金を前記握り手の一方に寄る方向に回動させることにより、前記ピストンロッドを前進させて前記流動体を前記シリンダー内部から吐出することができるとともに、
前記引き金を前記握り手の他方に寄る方向に回動させることにより、前記ピストンロッドを後退させて前記流動体を前記シリンダー内部へ吸引することができることを特徴とする充填吸引機。
【請求項３】
前記ノズルの途中に、開閉バルブが設けられていることを特徴とする請求項１又は２に記載の充填吸引機。
【請求項４】
前記ラチェット式送り機構が、
前記シリンダーに固定された、前記ピストンロッドをスライド案内する握り手付きフレームと、
該握り手付きフレームの握り手の前後に配置されたラチェット組立体と、
を有し、
該ラチェット組立体の各々が、
前記握り手に寄る、あるいは、から離れるように回動する引き金と、
前記ピストンロッドに挿通され、前記引き金の回動によって前記ピストンロッドに噛み合うとともに回動方向にスライドするラチェットプレートと、
該ラチェットプレートを、前記握り手の方向に付勢するバネと、
を有し、
前記ラチェットプレートが前記ピストンロッドに噛み合った状態で、前記引き金を回動させることにより、前記ピストンロッドを前進又は後退させることを特徴とする請求項１又は３に記載の充填吸引機。
【請求項５】
前記ラチェット式送り機構が、
前記シリンダーに固定された、前記ピストンロッドをスライド案内する、前後二個の握り手が設けられたフレームと、
前記握り手の間に配置され、前記握り手の各々に寄る、あるいは、から離れる方向に回動する引き金と、
該引き金の前後に配置されたラチェット組立体と、
を有し、
前記ラチェット組立体の各々が、
前記ピストンロッドに挿通され、前記引き金の回動に伴って、前記ピストンロッドに噛み合うとともに回動方向にスライドするラチェットプレートと、
前記ラチェットプレートを、前記握り手の方向に付勢するバネと、
を有し、
前記ラチェットプレートが前記ピストンロッドと噛み合った状態で、前記引き金を回動させることにより、前記ピストンロッドを前進又は後退させることを特徴とする請求項２又は３に記載の充填吸引機。
【発明の詳細な説明】
【技術分野】
【０００１】
本発明は、ノズルから流動体を吸引し、同流動体をノズルから吐出することのできる充填吸引機に関する。特には、潤滑油等の高粘度の流動体も比較的軽い力で楽に吸引・吐出できる充填吸引機に関する。
【背景技術】
【０００２】
粘り気のある流動体を吸引・吐出する工具として、オイルガンやコーキングガンが知られている。オイルガンは、車両の整備において、デファレンシャルオイルやトランスミッションオイルを交換する際に使用されるものである。オイルガンとしては、シリンダーとピストンロッドを有するタイプのものが一般的である。このタイプのオイルガンにおいては、オイルの粘度が高い場合、ピストンロッドの押し出し又は押し込みに強い力が必要になる。
【０００３】
コーキングガンは、建設現場などにおいて、シーリング剤を塗布・注入する際に使用されるものである。このようなコーキングガンとして、シリンダーと、切り替え式のラチェット機構を備えたピストンロッドとを有するものがある（特許文献１参照）。このラチェット機構は、ピストンロッドの移動方向を前進方向又は後退方向に切り替えるためのものである。この機構は、ピストンロッドに形成された歯と、レバーにより駆動される爪とを有する。ピストンロッドが一方向に移動しないようにラチェット機構を切り替えてバーを駆動すると、ピストンロッドはその反対方向に移動可能となる。ただし、この特許の目的は、アフターフローの発生をなくすこととされている（第１欄、５９〜６０行目）。また、この例においては、ピストンロッドの移動方向を切り換えるために、スリーブをスライドする作業が必要である。
【先行技術文献】
【特許文献】
【０００４】
【特許文献１】ＵＳＰ２７６８７６８
【発明の開示】
【発明が解決しようとする課題】
【０００５】
本発明、上記の問題点に鑑みてなされたものであって、簡単な動作で楽に粘度の高い流動体を吸引かつ吐出できる充填吸引機を提供することを目的とする。
【課題を解決するための手段】
【０００６】
本発明のベースとなる第１の態様の充填吸引機は、 高粘度の潤滑油等の対象流動体をギアボックス等に充填する、あるいは、から吸い出す充填吸引機であって、 前記対象流動体を入れるシリンダーと、 該シリンダーの先端に取り付けられたノズルと、 該シリンダー内を長手方向に行き来するピストンと、 該ピストンを駆動する、前記シリンダーの長手方向に延びて該シリンダーの反ノズル端（後端）から外へ突出するピストンロッドと、 該ピストンロッドを先端方向又は後端方向に送る二組のラチェット式送り機構と、を備え、 該送り機構が、 前記シリンダーに固定された、前記ピストンロッドをスライド案内する、握り手を有するフレームと、 該握り手付きフレームに対して回動して前記ピストンロッドを前後いずれかの方向へ送る、前記握り手の前後に配置された二組の引き金と、を有することを特徴とする。
【０００７】
本発明によれば、引き金の各々を握り手に対して回動させることにより、ピストンロッドを前進、あるいは、後退させ、流動体をシリンダー内部から吐出する（ギアボックス等に充填する）、あるいは、シリンダー内部へ吸引する（ギアボックス等から吸い出す）ことができる。この引き金の回動動作は、ピストンロッドを直接手で押し出し、あるいは、引き込みする作業に比べて小さい力で行うことができるので、粘度の高い流動体の楽な吸引及び吐出作業が実現される。
【０００８】
本発明のベースとなる第２の態様の充填吸引機は、 高粘度の潤滑油等の対象流動体をギアボックス等に充填する、あるいは、から吸い出す充填吸引機であって、 前記対象流動体を入れるシリンダーと、 該シリンダーの先端に取り付けられたノズルと、 該シリンダー内を長手方向に行き来するピストンと、 該ピストンを駆動する、前記シリンダーの長手方向に延びて該シリンダーの反ノズル端（後端）から外へ突出するピストンロッドと、 該ピストンロッドを先端方向又は後端方向に送る二組のラチェット式送り機構と、を備え、 該送り機構が、 前記シリンダーに固定された、前記ピストンロッドをスライド案内する、二個の握り手を有するフレームと、 該握り手付きフレームに対して回動して前記ピストンロッドを前後いずれかの方向へ送る、前記握り手の中央に配置された引き金と、を有することを特徴とする。
【０００９】
この場合も、比較的小さい力で粘度の高い流動体の吸引及び吐出作業を容易に行うことができる。
【００１０】
本発明においては、  前記ノズルの途中に、開閉バルブが形成されることもできる。
バルブを閉じることによって、流動体の不用意な吸引と吐出を防ぐことができる。また、バルブを操作してノズルの開度を調整することにより、流動体の吐出速度（吸引速度）を調整できる。
【００１１】
本発明においては、  前記シリンダー又はノズルに、前記シリンダー内に入れられる流動体を計量する計量カップを取り外し可能に取り付けてもよい。
計量カップにより、所定量の潤滑油等の流動体をシリンダー内に入れて吐出できる。あるいは、流動体に添加物を加える際は、所望の量の添加物を流動体に添加することができる。
【００１２】
本発明の第１の態様においては、  前記ラチェット式送り機構が、  前記シリンダーに固定された、前記ピストンロッドをスライド案内する握り手付きフレームと、  該握り手付きフレームの握り手の前後に配置されたラチェット組立体と、を有し、  該ラチェット組立体の各々が、  前記握り手に寄る／から離れるように回動する引き金と、  前記ピストンロッドに挿通され、前記引き金の回動によって前記ピストンロッドに噛み合うとともに回動方向にスライドするラチェットプレートと、  該ラチェットプレートを、前記握り手の方向に付勢するバネと、を有し、  前記ラチェットプレートが前記ピストンロッドに噛み合った状態で、前記引き金を回動させることにより、前記ピストンロッドを前進又は後退させることとできる。
【００１３】
本発明の第２の態様においては、  前記ラチェット式送り機構が、  前記シリンダーに固定された、前記ピストンロッドをスライド案内する、前後二個の握り手が設けられたフレームと、  前記握り手の間に配置され、前記握り手の各々に寄る／から離れる方向に回動する引き金と、  該引き金の前後に配置されたラチェット組立体と、を有し、  前記ラチェット組立体の各々が、  前記ピストンロッドに挿通され、前記引き金の回動に伴って、前記ピストンロッドに噛み合うとともに回動方向にスライドするラチェットプレートと、  前記ラチェットプレートを、前記握り手の方向に付勢するバネと、を有し、  前記ラチェットプレートが前記ピストンロッドと噛み合った状態で、前記引き金を回動させることにより、前記ピストンロッドを前進又は後退させることとできる。
【００１４】
ラチェットプレートとピストンロッドとの噛み合い力は十分に強いので、ラチェットプレートを移動させることにより、ピストンロッドを移動させることができる。ラチェットプレートは、引き金を回動させる（引く）だけの比較的小さい力で移動させることができるので、粘度の高い流動体も楽に吸引及び吐出できる。なお、ピストンロッド送り後のラチェットプレートの戻しは、ラチェット機構が外れてバネによるオートリターンとなる。
【発明の効果】
【００１５】
本発明によれば、１個の引き金を２個の握り手のいずれかに対して回動させる、あるいは、２個の引き金のいずれかを１個の握り手に対して回動させる（引く）ことにより、ピストンロッドを前進、あるいは、後退させることができる。引き金の回動動作は、ピストンロッドを直接に手で押し出し、あるいは、引き込みする作業に比べて小さい力で行うことができるので、粘度の高い流動体の吸引及び吐出作業を楽に行うことができる。
【図面の簡単な説明】
【００１６】
【図１】本発明の第１の実施の形態に係る充填吸引機の全体構造を説明する側面図である。
【図２】図１の充填吸引機のラチェット式送り機構の構造を説明する部分側断面図である。
【図３】図１の充填吸引機のラチェット式送り機構の構造を説明する分解斜視図である。
【図４】ラチェットプレートの構造を説明する図であり、図４（Ａ）は平面図、図４（Ｂ）はピストンロッドに挿通された状態を示す斜視図、図４（Ｃ）はロッドと噛み合っている状態を示す斜視図である。
【図５】図１の充填吸引機の吐出作業時のラチェット式送り機構の動作を説明する図である。
【図６】図１の充填吸引機の吸引作業時のラチェット式送り機構の動作を説明する図である。
【図７】本発明の第２の実施の形態に係る充填吸引機のラチェット式送り機構の構造を説明する部分側断面図である。
【図８】図７の充填吸引機のラチェット式送り機構の構造を説明する分解斜視図である。
【図９】図７の充填吸引機の吐出作業時のラチェット式送り機構の動作を説明する図である。
【図１０】図７の充填吸引機の吸引作業時のラチェット式送り機構の動作を説明する図である。
【発明を実施するための形態】
【００１７】
以下、本発明の実施の形態について、図面を参照しながら詳細に説明する。
まず、図１、図２を参照して、本発明の第１の実施の形態に係る充填吸引機の全体構造を説明する。
充填吸引機１は、流動体が収容されるシリンダー１０と、シリンダー１０の先端に取り付けられたノズル２０と、シリンダー２０内を長手方向に行き来するピストン３０（図２参照）と、ピストン３０を駆動するピストンロッド４０と、を備える。シリンダー１０の後端には、握り手付きフレーム５０が固定されている。このフレーム５０には、ピストンロッド４０を選択的に先端方向又は後端方向に送るラチェット式送り機構６０が備えられている。
【００１８】
シリンダー１０は、円筒形の本体１１と、本体１１の前後の開口を塞ぐ前キャップ１２と後キャップ１３とを有する。前キャップ１２の中央からは、ノズル２０がシリンダー１０と同軸上を先方向に延びている。ノズル２０の先端はやや傾斜している。ノズル２０の中央付近には、開閉バルブ２１が設けられている。この開閉バルブ２１は、ノズル２０の内孔を開閉するものである。開閉バルブ２１操作して内孔を閉じると、流動体の不用意な吸引や吐出を防ぐことができる。また、開閉バルブ２１を操作してノズル２０の開度を調整することにより、流動体の吸い出し速度（吐出速度）を調整できる。
また、前キャップ１２には、開閉バルブを備えた計量カップ１６の取付口１５が設けられている。計量カップ１６により、所定量の潤滑油等の流動体をシリンダー１０内に入れることができる。あるいは、流動体に添加物を加える際は、この計量カップ１６から所望の量の添加物を流動体に添加することもできる。取付口１５はノズル２０に形成してもよい。
シリンダー１０の前端付近には、持ちやすくするためのハンドル１７が取り付けられている。
【００１９】
図２に示すように、ピストン３０は、ゴムなどの弾性材料で作製されており、外周面はシリンダー１０の内面と密接に接触している。ピストン３０は、ピストンロッド４０の先端に固定されている。ピストンロッド４０は、シリンダー１０の長手方向に延びて、後キャップ１３を貫通し、さらに、握り手付きフレーム５０を貫通している。後キャップ１３には、ピストンロッド４０が貫通する孔に連通する空気抜き用の孔（図示されず）が開けられている。ピストンロッド４０の後端には取っ手４１が取り付けられている。
【００２０】
次に、図２、図３を参照してラチェット式送り機構６０について説明する。
シリンダー１０の後キャップ１３には、握り手付きフレーム５０が固定されている。図２に示すように、握り手付きフレーム５０は、中空の直方体状のケーシング５１と、ケーシング５１の長手方向の中央に固定された握り手５２とを備える。握り手５２は、ケーシング５１から下方へほぼまっすぐに突き出している。握り手５２により、ケーシング５１の内部は前空間と後空間とに分けられる。ピストンロッド４０は、ケーシング５１と握り手５２をスライド可能に貫通している。
【００２１】
ケーシング５１の内部の前空間と後空間には、各々、前進用ラチェット組立体６１と後退用ラチェット組立体６２が収容されている。両ラチェット組立体６１、６２は、同じ構成であり、各々ピストンロッド４０が通されているラチェットプレート７０と、ピストンロッド４０に挿通されて、ラチェットプレート７０を付勢するバネ７５と、ラチェットプレート７０を駆動させる引き金８０と、から主に構成される。
【００２２】
図４を参照してラチェットプレート７０について説明する。
ラチェットプレート７０は、ある程度の厚さを有するプレート状の部材であり、平面形状が長方形の上本体部７１と、本体部７１より幅の狭い下作動部７２とを有する。本体部７１の中央には、ピストンロッド４０が貫通する孔７３が開けられている。この例では、孔の７３形状は縦長の菱形である。
【００２３】
図４（Ｂ）に示すように、ラチェットプレート７０をピストンロッド４０に対して垂直に保持した状態では、ラチェットプレート７０はピストンロッド４０に沿ってスライド可能である。しかし、図４（Ｃ）に示すように、ラチェットプレート７０の作動部７２を押してピストンロッド４０に対して傾けると、ラチェットプレート７０の孔７３の内周面と、同プレート７０の表裏面との間の角（エッジ）が、ピストンロッド４０の外面にきつく押し付けられ、ラチェットプレート７０がピストンロッド４０と噛み合って強固に把持する。
【００２４】
図３を参照して、引き金８０について説明する。
引き金８０は、断面形状がＵ字状のほぼ直線状の部材で、奥板と、奥板の左右縁から立設する左右の側板とを有する。両側板の、上端からやや下方の位置には、ピストンロッド４０と直交する方向に貫通する孔８１が開けられている。さらに、この孔８１の上方の両側板間には、ピストンロッド４０と直交する方向に延びるバー８２が固定されている。
【００２５】
前進用組立体６１について説明する。
図２に示すように、ラチェットプレート７０は、バネ７５により後方に付勢されて、握り手５２の前側の面に押し付けられている。ラチェットプレート７０の後側の面と握り手５２の前側の面との間には、２枚のワッシャ７６が介されている。また、バネ７５の前側端面とケーシング５１の前壁との間には、ワッシャ７７とワイヤーリング７８が介されている。
【００２６】
引き金８０は、開いた面を後ろに向けて、ケーシング５１の前空間の長手方向ほぼ中央部に、引き金８０の孔８１に通されるピン８５により回動可能に取り付けられている。引き金８０の、ピン８５より上方の部分はケーシング５１内に収容されており、ピン８５より下方の部分はケーシング５１から下方に突き出ている。
【００２７】
引き金８０とラチェットプレート７０とは、ラチェットプレート７０の作動部７２が、引き金８０のバー８２と奥板との間の空間に挿入されて、作動部７２の後側の面がバー８２に当接するように組み込まれている。ここで、引き金８０の回動支点（ピン８５）は、ラチェットプレート７０の前方に位置しているので、引き金８０は、ピン８５を中心にして図の時計方向に回動して斜め前下方向に傾斜する。そして、ラチェットプレート７０の作動部７２はバー８２により前方に押されているので、ラチェットプレート７０はロッド４０に対して傾斜している。
【００２８】
後退用組立体６２について説明する。
図２に示すように、ラチェットプレート７０は、バネ７５により前方に付勢されて、握り手５２の後側の面に押し付けられている。ラチェットプレート７０の前側の面と握り手５２の後側の面との間には、２枚のワッシャ７６が介されている。また、バネ７５の後側端面とケーシング５２の後壁との間には、ワッシャ７７とワイヤーリング７８が介されている。
【００２９】
引き金８０は、開いた面を前に向けて、ケーシング５１の後空間の長手方向ほぼ中央部に、引き金８０の孔８１に通されるピン８５により回動可能に取り付けられている。引き金８０の、ピン８５より上方の部分はケーシング５１内に収容されており、ピン８５より下方の部分はケーシング５１から下方に突き出ている。
【００３０】
引き金８０とラチェットプレート７０とは、ラチェットプレート７０の作動部７２が、引き金８０のバー８２と奥板との間の空間に挿入されて、作動部７２の前側の面がバー８２に当接するように組み込まれている。ここで、引き金８０の回動支点（ピン８５）は、ラチェットプレート７０の後方に位置しているので、引き金８０は、ピン８５を中心にして図の反時計方向に回動して斜め後ろ下方向に傾斜する。そして、ラチェットプレート７０の作動部７２はバー８２により後方に押されているので、ラチェットプレート７０はピストンロッド４０に対して傾斜している。
【００３１】
図２に示す状態では、各ラチェットプレート７０はロッド４０に対して傾斜してロッド４０にゆるく噛み合った状態であるが、噛み合い力は大きくないので、ピストンロッド４０は手動で押し引き可能である。
【００３２】
次に、図５を参照して、ピストンロッド４０の前進作用を説明する。
図５（Ａ）に示すように、ケーシング５１から下方に突き出ている引き金８０の下部を握り手５２の方向に回動させる。実際には、例えば、使用者は左手でシリンダー１０に固定されたハンドル１７（図１参照）を保持し、右手の親指で握り手５２を保持し、次に、右手の他の指で引き金８０を握り手５２の方向に引く。これによって引き金８０がピン８５の周りを図の反時計方向に回動し、引き金８０のバー８２が図の左方向に移動する。バー８２の移動によってラチェットプレート７０の作動部７２が図の左方向に押される。すると、ラチェットプレート７２の傾きが大きくなり、ラチェットプレート７０の孔７３の内周面と、ラチェットプレート７０の表裏面との間の角が、ピストンロッド４０の外面に強く噛み合い、ラチェットプレート７０がピストンロッド４０を把持する。さらに引き金８０を引いてバー８２を図の左方向に移動させると、ラチェットプレート７０は、ピストンロッド４０に噛み合った状態のまま、バネ７５の付勢力に抗して左方向に移動する。この結果、ラチェットプレート７０が噛み合ったピストンロッド４０が左方向に移動する（前進する）。
【００３３】
さらに引き金８０を握ってバー８２を左方向に移動させると、図５（Ｂ）に示すように、バネ７５が圧縮し、ラチェットプレート７０は移動不能となる。また、ラチェットプレート７０は、徐々にピストンロッド４０に対して垂直に位置するようになり、ラチェットプレート７０とピストンロッド４０との噛み合い力が小さくなる。
【００３４】
引き金８０を解放すると、ラチェットプレート７０はバネ７５で後方に付勢されて初期状態（図２参照）に戻る。ラチェットプレート７０の移動に伴い、引き金８０のバー８２がラチェットプレート７０の作動部７２で押されて初期状態に戻る。この間、シリンダー内の流動体の抵抗によってピストンロッド４０は前進位置に維持される。この引き金８０を引く作業を繰り返すことによって、ピストンロッド４０が徐々に前進し、流動体がシリンダー１０内からノズル２０を通って吐出される（ギアボックス等に充填される）。
【００３５】
次に、図６を参照して、ピストンロッド４０の後退作用を説明する。
図６（Ａ）に示すように、ケーシング５１から下方に突き出ている引き金８０の下部を握り手５２の方向に回動させる。実際には、例えば、使用者は左手でシリンダー１０に固定されたハンドル１７（図１参照）を保持し、右手の親指以外の指で握り手５２を保持し、次に、右手の親指で引き金８０を握り手５２の方向に引く。これによって引き金８０がピン８５の周りを図の時計方向に回動し、引き金８０のバー８２が図の右方向に移動する。バー８２の移動によってラチェットプレート７０の作動部７２が図の右方向に押される。すると、ラチェットプレート７０の傾きが大きくなり、ラチェットプレート７０の孔７３の内周面と、同プレート７０の表裏面との間の角が、ピストンロッド４０の外面に強く噛み合い、これによりラチェットプレート７０がピストンロッド４０を把持する。さらに引き金８０を引いてバー８２を図の右方向に移動させると、ラチェットプレート７０は、ピストンロッド４０に噛み合った状態のまま、バネ７５の付勢力に抗して右方向に移動する。この結果、ラチェットプレート７０が噛み合ったロッド４０が右方向に移動する（後退する）。
【００３６】
さらに引き金８０を握ってバー８２を右方向に移動させると、図６（Ｂ）に示すように、バネ７５が圧縮し、ラチェットプレート７０の移動が不能になる。また、ラチェットプレート７０は徐々にロッド４０に対して垂直に位置するようになり、ラチェットプレート７０とピストンロッド４０との噛み合い力は小さくなる。
【００３７】
引き金８０を解放すると、ラチェットプレート７０はバネ７５で付勢されて初期状態（図２参照）に戻る。ラチェットプレート７０の移動に伴い、引き金８０のバー８２がラチェットプレート７０の作動部７２で図の左方向に押されて初期状態（図２参照）に戻る。この間、シリンダー内の流動体の抵抗によってピストンロッド４０は後退位置に維持される。この引き金８０を引く作業を繰り返すことによって、ピストンロッド４０が後退し、流動体がノズル２０からシリンダー１０内に吸引される（吸い出される）。
【００３８】
以上説明したように、前側の引き金８０を引く作業を繰り返すことによって、ピストンロッド４０が前進して流動体を吐出する。そして、後側の引き金８０を引く作業を繰り返すことによって、ピストンロッド４０が後退して流動体を吸引する。これらの場合において、ラチェットプレート７０とピストンロッド４０との噛み合い力は十分に大きいので、ラチェットプレート７０を移動させるとピストンロッド４０が移動する。引き金８０は比較的小さい力で握ることができる、流動体が高い粘度を有している場合でも、流動体の吸引作業と吐出作業を楽に行うことができる。
【００３９】
また、前述のように、ノズル２０の開閉バルブ２１を閉じると、流動体の不用意な吐出や吸引を防ぐことができる。また、開閉バルブ２１を操作してノズル３０の内孔の開度を調整することにより、吐出速度と吸引速度を調整することができる。また、計量カップ１６をシリンダー１０の取付口１５に取り付けると（図１参照）、所定量の流動体を吐出することができる。あるいは、添加物を添加することもできる。
ピストンロッド４０に目盛りを付けておけば、吐出量や吸引量を知ることができる。この場合、例えば、いずれかの引き金８０を１回引いた際のピストンロッド４０の移動長さを前もって計測しておき、計測した長さとシリンダー１０の断面積とによって、引き金８０を一回引いた際のピストンロッド４０の移動によって形成される空間の体積を求める。この体積に基づいて、ピストンロッド４０に目盛りを付けておく。
【００４０】
図７、図８を参照して、本発明の第２の実施の形態に係る充填吸引機の構造を説明する。
この例の充填吸引機は、図１等で説明した充填吸引機１と、２個のハンドルと１個の握り手を有するフレームの構造を除いて、同じ構造を有する。図１の充填吸引機と同じ構造・作用を有する部品と部位は、図１等と同じ符号を付し、詳細な説明を省略する。
【００４１】
この例においては、握り手付きフレーム１５０がシリンダー１０の後キャップ１３に固定されている。図７に示すように、握り手付きフレーム１５０は、中空の直方体状のケーシング１５１と、同ケーシング１５１の前後部に一体に固定された握り手１５２、１５３とを備える。前側の握り手１５２は、ケーシング１５１から斜め前下方へ突き出しており、後側の握り手１５３は、ケーシング１５１から斜め後下方向へ突き出している。ケーシング１５１内部の長手方向における中央には、隔壁１５４が取り付けられている。隔壁１５４は、図８に示すように、扇形部１５４ａが切り取られたディスク形状である。この隔壁１５４により、ケーシング１５１の内部の空間が前空間と後空間とに区切られる。
【００４２】
ケーシング１５１の内部の前空間と後空間には、各々、前進用ラチェット組立体１６１と後退用ラチェット組立体１６２が収容されている。前進用組立体１６１と後退用組立体１６２とは同じ構成であり、ピストンロッド４０が通されたラチェットプレート７０と、ピストンロッド４０に挿通されて、ラチェットプレート７０を付勢するバネ７５と、から主に構成される。この例では、各ラチェットプレート７０は１個の引き金１８０によって操作される。ラチェットプレート７０とバネ７５は、図１の充填吸引機と同じものである。
【００４３】
引き金１８０は、図８に示すように、ほぼ直線状の中空の部材であり、前後の板１８０ａ、１８０ｂと、左右の側板１８０ｃ、１８０ｄとを有する。両側板１８０ｃ、１８０ｄは、前後板１８０ａ、１８０ｂの上端から上方に突き出している。両側板の、上端からやや下方の位置には、ピストンロッド４０と直交する方向に貫通する孔１８１が形成されている。さらに、この孔１８１の上方の両側板間には、ピストンロッド４０と直交する方向に延びるバー１８２が固定されている。図７に示すように、引き金１８０は、隔壁１５４の下方に、孔１８１に通されるピン１８５により回動可能に取り付けられている。引き金１８０の。ピン１８５の上方の部分はケーシング１５１内に収容されており、ピン１８５の下方の部分はケーシング１５１から下方に突き出ている。引き金１８０の回動動作中、引き金１８０の上部は、隔壁１５４の扇型の切り取り部１５４ａを通過するので、隔壁１５４は引き金１８０の回動動作に干渉しない。
【００４４】
前進用組立体１６１においては、ラチェットプレート７０はバネ７５によって後方に付勢されて、隔壁１５４の前側の面に押し付けられている。ラチェットプレート７０の後側の面と隔壁１５４の前側の面との間には、２枚のワッシャ７６が介されている。また、バネ７５の前端とケーシング１５１の前壁との間には、ワッシャ７７とワイヤーリング７８が介されている。
【００４５】
後退用組立体１６２においては、ラチェットプレート７０はバネ７５によって前方に付勢されて、隔壁１５４の後側の面に押し付けられている。ラチェットプレート７０の前側の面と隔壁１５４の後側の面との間には、２枚のワッシャ７６が介されている。また、バネ７５の後端とケーシング１５１の後壁との間には、ワッシャ７７とワイヤーリング７８が介されている。
【００４６】
引き金１８０のバー１８２は、各ラチェットプレート７０の作動部７２の間に位置している。
【００４７】
図７に示す状態では、各ラチェットプレート７０はピストンロッド４０に対して垂直に位置してピストンロッド４０とは噛み合っておらず、ピストンロッド４０は手動で押し引き可能である。
【００４８】
図９を参照して、ピストンロッド４０の前進作用を説明する。
図９（Ａ）に示すように、ケーシング１５１から下方に突き出ている引き金１８０の下部を後側の握り手１５３方向に回動させる。実際には、例えば、使用者は左手でシリンダー１０に固定されたハンドル１７（図１参照）を保持し、右手の親指で後側の握り手１５３を保持し、次に、右手の親指以外の指で引き金１８０を後側の握り手１５３に向かって引く。これにより引き金１８０がピン１８５の周りを図の反時計方向に回動し、引き金１８０のバー１８２は図の左方向に移動する。バー１８２の移動によりラチェットプレート７０の作動部７２が図の左方向に押されラチェットプレート７０が傾斜する。さらに引き金１８０を回動させてバー１８２を左方向に移動させると、ラチェットプレート７０の傾きが大きくなり、ラチェットプレート７０の孔の内周面と、ラチェットプレート７０の表裏面との間の角が、ピストンロッド４０の外面に強く噛み合う。これにより、ラチェットプレート７０がピストンロッド４０を把持する。さらに引き金１８０を引いてバー１８２を左方向に移動させると、ラチェットプレート７０は、ピストンロッド４０に噛み合った状態のまま、バネ７５の付勢力に抗して左方向に移動する。この結果、ラチェットプレート７０と噛み合ったピストンロッド４０は左方向に移動する（前進する）。
【００４９】
さらに引き金１８０を引いてバー１８２を左方向に移動させると、図９（Ｂ）に示すように、バネ７５が圧縮され、ラチェットプレート７０が移動できなくなる。
【００５０】
引き金１８０を解放すると、ラチェットプレート７０はバネ７５で後方に付勢されて初期状態（図７参照）に戻る。ラチェットプレート７０の移動に伴って、引き金１８０のバー１８２がラチェットプレート７０の作動部７２で押されて初期状態に戻る。この間、シリンダー内の流動体の抵抗によってピストンロッド４０は前進位置に維持される。この引き金１８０を引く作業を繰り返すことによって、ピストンロッド４０が前進し、流動体がシリンダー１０からノズル２０を通して吐出される。
【００５１】
図１０を参照して、ピストンロッド４０の後退作用を説明する。
図１０（Ａ）に示すように、ケーシング１５１から下方に突き出ている引き金１８０の下部が前側の握り手１５２方向に回動させる。実際には、例えば、使用者は左手でシリンダー１０に固定されたハンドル１７（図１参照）を保持し、右手の親指以外の指で前側の握り手１５２を保持し、次に、右手の親指で引き金１８０を前側の握り手１５２に向かって引く。これにより引き金１８０がピン１８５の周りを図の時計方向に回動し、引き金１８０のバー１８２は図の右方向に移動する。バー１８２の移動によりラチェットプレート７０の作動部７２が図の右方向に押されラチェットプレート７０が傾斜する。さらに引き金１８０を引いてバー１８２を右方向に移動させると、ラチェットプレート７０の傾きが大きくなり、ラチェットプレート７０の孔の内周面と、ラチェットプレート７０の表裏面との間の角が、ピストンロッド４０の外面に強く噛み合う。これにより、ラチェットプレート７０がピストンロッド４０を把持する。さらに引き金１８０を引いてバー１８２を右方向に移動させると、ラチェットプレート７０は、ピストンロッド４０に噛み合った状態のまま、バネ７５の付勢力に抗して右方向に移動する。この結果、ラチェットプレート７０が噛み合ったピストンロッド４０が右方向に移動する（後退する）。
【００５２】
さらに引き金１８０を引いてバー１８２を右方向に移動させると、図１０（Ｂ）に示すように、バネ７５が圧縮され、ラチェットプレートが移動できなくなる。
【００５３】
引き金１８０を解放すると、ラチェットプレート７０はバネ７５で前方に付勢されて初期状態（図７参照）に戻る。ラチェットプレート７０の移動に伴って、引き金１８０のバー１８２がラチェットプレート７０の作動部７２で押されて、初期状態に戻る。この動きの間、シリンダー１０内の流動体の抵抗によってピストンロッド４０は後退位置に維持される。引き金１８０を引く作業を繰り返すことによって、ピストンロッド４０が後退し、流動体がノズル２０からシリンダー１０内に吸引される。
【００５４】
この例の充填吸引機においても、図１等で示した充填吸引機と同じ効果が得られる。
【符号の説明】
【００５５】
１  充填吸引機                        １０  シリンダー
１１  本体                              １２  前キャップ
１３  後キャップ                        １５  取付口
１７  ハンドル                          ２０  ノズル
２１  開閉バルブ                        ３０  ピストン
４０  ピストンロッド                    ４１  取っ手
５０  握り手付きフレーム                ５１  ケーシング
５２  握り手
６０  ラチェット式送り機構
６１  前進用ラチェット組立体            ６２  後退用ラチェット組立体
７０  ラチェットプレート                ７１  上本体部
７２  下作動部                          ７３  孔
７５  バネ                              ７６、７７  ワッシャ
７８  ワイヤーリング
８０  引き金                            ８１  孔
８２  バー                              ８５  ピン
１５０  握り手付きフレーム                １５１  ケーシング
１５２、１５３  握り手                    １５４  隔壁
１６１  前進用ラチェット組立体            １６２  後退用ラチェット組立体
１８０  引き金                            １８１  孔
１８２  バー                              １８５  ピン
【図１】
0005572014.tif 000002
【図２】
0005572014.tif 000003
【図３】
0005572014.tif 000004
【図４】
0005572014.tif 000005
【図５】
0005572014.tif 000006
【図６】
0005572014.tif 000007
【図７】
0005572014.tif 000008
【図８】
0005572014.tif 000009
【図９】
0005572014.tif 000010
【図１０】
0005572014.tif 000011